(57)【要約】 【課題】  高照度型と低照度型との切り換えを簡便に行える上にどの状態にあるかを容易に判別できるものとする。【解決手段】  少なくとも３つの出力端子２３，２４を備えたＬＥＤ電源供給部２と、上記出力端子のうちの２つに接続される接続端子３７及び上記出力端子のうちの他の出力端子に接続される切換用接続端子３８とを備えたＬＥＤユニット３とを有する。ＬＥＤユニットにおける上記切換用接続端子３８と上記他の出力端子２４との接続を切換用接続端子３８の移動で切り離す切換操作部３９を有しており、上記ＬＥＤ電源供給部２は、外部に露出している上記切換操作部の操作による上記切換用接続端子３８と上記他の出力端子２４との接続の切り離しで、ＬＥＤユニット３への供給電流を変化させる【選択図】  図１
2011175792.tif 000002
【特許請求の範囲】
【請求項１】
少なくとも３つの出力端子を備えたＬＥＤ電源供給部と、上記出力端子のうちの２つに接続される接続端子及び上記出力端子のうちの他の出力端子に接続される切換用接続端子とを備えたＬＥＤユニットとを有しているとともに、上記ＬＥＤユニットにおける上記切換用接続端子と上記他の出力端子との接続を切換用接続端子の移動で切り離す切換操作部を有しており、上記ＬＥＤ電源供給部は、外部に露出している上記切換操作部の操作による上記切換用接続端子と上記他の出力端子との接続の切り離しで、ＬＥＤユニットへの供給電流を変化させるものであることを特徴とするＬＥＤ照明装置。
【発明の詳細な説明】
【技術分野】
【０００１】
本発明は、ＬＥＤ（発光ダイオード）素子を複数含むＬＥＤユニットと、このＬＥＤユニットに電力を供給するＬＥＤ電源供給部を備えたＬＥＤ照明装置に関するものである。
【背景技術】
【０００２】
ＬＥＤの高輝度化に伴い、一般照明用のＬＥＤ照明装置が商品化されている。このＬＥＤ照明装置は、ＬＥＤの半永久寿命という特徴から、ＬＥＤを交換することなく、照明器具として４年〜１０年の寿命がある。また、チップを樹脂で覆っているＬＥＤでは、樹脂が自己の光と温度によって劣化し、変色などを起こして光出力を低下させる。このために光出力の低下によって必要とする光出力が得られなくなる時点をＬＥＤの寿命の終期としている。
【０００３】
一方、ＬＥＤそのものの発光効率は年々高くなっていることから、何年か後に寿命がきたとしてＬＥＤユニットを交換する場合、元のＬＥＤユニットよりも発光効率が高いＬＥＤユニットを用いることになる場合が考えられる。
【０００４】
この時、ＬＥＤユニットとＬＥＤ電源供給部とを別体として、ＬＥＤユニットのみを交換することができるようにしている場合、高効率化されたＬＥＤユニットに交換すると、明るくなりすぎることが生じる。
【０００５】
ここにおいて、特許文献１にはＬＥＤユニットとＬＥＤ電源供給部とを別体とするとともに、ＬＥＤ電源供給部には出力電圧の異なる複数対の接続部を設け、ＬＥＤユニットをどちらの接続部に接続するかによって、一つのＬＥＤユニットを高照度型として使用するか、低照度型とするかを選択することができるようにしたものが示されている。この場合、それまで出力電圧の高い接続部に接続されていたＬＥＤユニットに代えて高効率化されたＬＥＤユニットを出力電圧の低い接続部に接続すれば、それまでと同等の光出力で且つ省電力を得ることができ、出力電圧の高い接続部に接続すれば、それまでよりも高照度の光出力を同等電力で得ることができる。
【先行技術文献】
【特許文献】
【０００６】
【特許文献１】特開２００２−３０４９０４号公報
【発明の概要】
【発明が解決しようとする課題】
【０００７】
しかし、上記特許文献１に示されているのは、ＬＥＤ電源供給部の複数の接続部を角度が異なるものとして設けておき、ＬＥＤユニットを角度を変えて取り付けることで高照度型か低照度型かに切り換えるものであるために、ＬＥＤユニットをＬＥＤ電源供給部に取り付けた状態では高照度型としているのか低照度型としているのかが判りにくい。しかもＬＥＤユニットをＬＥＤ電源供給部から外すと、それまで高照度型として接続していたのか低照度型として接続していたのかが判らなくなる。
【０００８】
上記特許文献１には、ＬＥＤ電源供給部に出力電圧の切換をスイッチにて行うものや、ＬＥＤユニット側に各ＬＥＤに流れる電流値を変化させるスイッチを設けることも示されている。この場合、高照度型とするか低照度型とするかを切り換えることができる上に、ＬＥＤ電源供給部からＬＥＤユニットを外した状態  でもスイッチの状態から高照度型と低照度型のどちらの設定で用いているのかを判別することができる。
【０００９】
しかし、数年にわたり使用されることが想定されるＬＥＤ照明装置において、普段は全く操作されることがない上記スイッチは、その切換動作によるセルフクリーニングを期待できないために、スイッチ部分の信頼性の点で問題がある。
【００１０】
本発明はこのような点に鑑みなされたものであって、高照度型と低照度型との切り換えを簡便に行える上にどの状態にあるかを容易に判別することができるＬＥＤ照明装置を提供することを課題とするものである。
【課題を解決するための手段】
【００１１】
本発明は、少なくとも３つの出力端子を備えたＬＥＤ電源供給部と、上記出力端子のうちの２つに接続される接続端子及び上記出力端子のうちの他の出力端子に接続される切換用接続端子とを備えたＬＥＤユニットとを有しているとともに、上記ＬＥＤユニットにおける上記切換用接続端子と上記他の出力端子との接続を切換用接続端子の移動で切り離す切換操作部を有しており、上記ＬＥＤ電源供給部は、外部に露出している上記切換操作部の操作による上記切換用接続端子と上記他の出力端子との接続の切り離しで、ＬＥＤユニットへの供給電流を変化させるものであることに特徴を有している。
【００１２】
外部に露出している切換操作部の操作で切換用接続端子をＬＥＤ電源供給部側に接続するか否かによって高照度型と低照度型の切り換えを行うことができる。
【発明の効果】
【００１３】
本発明においては、高照度型と低照度型との切り換えを切換操作部の操作による切換用接続端子の移動で簡便に行えるものであり、しかもどの状態にあるかは外部に露出した切換操作部の位置から容易に判別することができる。また切換用接続端子そのものを移動させることで上記切り換えを行うために、信頼性の点で問題が生じることもない。
【図面の簡単な説明】
【００１４】
【図１】本発明の実施の形態の一例を示す概略断面図である。
【図２】同上の回路図である。
【発明を実施するための形態】
【００１５】
本発明を実施の形態の一例に基づいて詳述すると、図において、天井面９にローゼット（引っ掛けシーリング）９０あるいはねじ止めで固定される装置本体１は、ＬＥＤ電源供給部２と、このＬＥＤ電源供給部２に対して着脱自在とされているＬＥＤユニット３を備えている。
【００１６】
上記ＬＥＤ電源供給部２は商用電源（交流電源）からの交流電圧を、降圧を含めて整流および平滑などして所定レベルの直流の低電圧を得る電源部２１を有するもので、ここでは２つの出力端子２３，２３の他に、切換用出力端子２４を備えており、これら出力端子２３，２３，２４は、ＬＥＤ電源供給部２下面であるＬＥＤユニット取付面に配置されている。
【００１７】
一方、ＬＥＤユニット３は、多数のＬＥＤ３１が実装された基板３０と、外装カバーを兼ねたレンズユニット３２と、ベース板３３とからなり、基板３０には２つの接続端子３７，３７が固定されているほか、切換用接続端子３８が上下にスライド自在に取り付けられている。図中３４は切換用接続端子３８と摺接することで切換用接続端子３８と基板３０上の回路とを接続する端子受けである。
【００１８】
上記基板３０上には、図２に示すように、３個のＬＥＤ３１とトランジスタＴｒおよび抵抗Ｒを直列に接続した組みを４組並列に接続して構成された発光部３ｂと、コンデンサＣ１、トランジスタＴｒ１および抵抗Ｒ１〜Ｒ３により構成されて上記発光部３ｂの各組のトランジスタＴｒにミラー接続されて発光部３ｂの各組のＬＥＤ３１に同一の定電流を流す電源部３ａとが形成されている（ミラー回路構成）。
【００１９】
前記切換用接続端子３８は、その一端の切換操作部３９がレンズユニット３２を貫通して下方に突出しており、外部に露出している該切換操作部３９を上下に操作することで、接続端子３８と同様にベース板３３の上方に他端を突出させた状態と、ベース板３３よりも上方に突出しない状態とを切り換えることができるものとなっている。
【００２０】
また、接続端子３７，３７はＬＥＤ電源供給部２の出力端子２３，２３に接続されるのに対して、一方の接続端子３７に並列接続された切換用接続端子３８は、ベース板３３よりも上方に突出した状態にある時のみ、切換用出力端子２４に接続される。
【００２１】
そして、上記ＬＥＤユニット３をＬＥＤ電源供給部２に取り付けるにあたっては、切換操作部３９を操作することで、高照度型として接続するのか、あるいは低照度型として接続するのかを決定する。ここでは、接続端子３７，３７を出力端子２３，２３に接続すると同時に、切換用接続端子３８も出力端子２４に接続した時には、ＬＥＤ電源供給部２からαｍＡの電流がＬＥＤユニット３に供給され、切換用接続端子３８を出力端子２４に接続せずに接続端子３７，３７のみを出力端子２３，２３に接続した時には、（α−β）ｍＡの電流がＬＥＤユニット３に供給されるようにしているために、高照度型として接続する時には、切換操作部３９を押し込んでおき、低照度型とする時には切換操作部３９を引いておく。
【００２２】
この状態でＬＥＤユニット３の上面より突出している接続端子３７，３７（及び切換用接続端子３８）の先端を出力端子２３，２３（及び出力端子２４）に接続するとともに、ＬＥＤユニット３のベース板３３に設けたフック（図示せず）をＬＥＤ電源供給部２に係合させることで、ＬＥＤユニット３をＬＥＤ電源供給部２に接続すれば、高照度型あるいは低照度型に設定されたものとなる。
【００２３】
また、ＬＥＤユニット３をＬＥＤ電源供給部２に接続した状態で切換操作部３６がどの位置にあるかがわかるために、高照度型と低照度型のいずれの状態で使用しているかを容易に認識することができる。
【００２４】
なお、ここで示した実施例においては、ＬＥＤユニット３をＬＥＤ電源供給部２に接続した状態のままで、上記切換操作部３９を押し込むなり引っ張るなりすれば、切換用接続端子３８と切換用出力端子２４との接続の入り切りを行うことができるために、ＬＥＤユニット３をＬＥＤ電源供給部２から外さなくても高照度型と低照度型の切り換えを行うことができる。
【００２５】
直線移動する切換用接続端子３８そのものに切換操作部３９を設けたものを示したが、切換用接続端子３８とは別部材として形成された切換操作部３９を操作すれば、切換用接続端子３９が連動して移動するものであってもよい。
【符号の説明】
【００２６】
１  装置本体
２  ＬＥＤ電源供給部
３  ＬＥＤユニット
２３  出力端子
２４  切換用出力端子
３７  接続端子
３８  切換用接続端子
３９  切換操作部
【図１】
2011175792.tif 000003
【図２】
2011175792.tif 000004